(57)【要約】【課題】膜材が張設される方向に空間を確保することが難しい場所であっても、張力調整機構により膜材の張力を調整するための充分な調整代を設けることが可能な膜材の取付構造を提供する。【解決手段】躯体８１及び支柱、梁材等の部材に両側縁部を定着させて張設されるシート９０の取付構造であって、シート９０の少なくとも一方側の縁部に設けられ、シート９０の張設時の張力を調整する張力調整機構１０を備え、張力調整機構１０は、シート９０の端部を保持するシート保持部材１１と、シート９０の端部を保持した状態のシート保持部材１１を躯体８１に対して接近又は離間する方向に移動させる駆動部材１５と、シート保持部材１１を躯体８１に対して離間する側に設けられ、シート保持部材１１の移動量を調整する調整ボルト１７の頭部１７Ａと、を備え、駆動部材１５がシート保持部材１１を移動させることによりシート９０の張設時の張力を調整するものである。【選択図】図１
2019044504.tif 000002
【特許請求の範囲】
【請求項１】
躯体及び支柱、梁材等の部材に両側縁部を定着させて張設される膜材の取付構造であって、
前記膜材の少なくとも一方側の縁部に設けられ、前記膜材の張設時の張力を調整する張力調整機構を備え、
前記張力調整機構は、
前記膜材の端部を保持する膜材保持部と、
前記膜材の端部を保持した状態の膜材保持部を前記躯体に対して接近又は離間する方向に移動させる駆動部と、
前記膜材保持部を前記躯体に対して離間する側に設けられ、前記膜材保持部の移動量を調整する調整部と、
を備え、
前記駆動部が前記膜材保持部を移動させることにより前記膜材の張設時の張力を調整すること
を特徴とする膜材の取付構造。
【請求項２】
前記駆動部は、
前記躯体に固定されるナットと、
前記膜材保持部を支持するとともに、前記ナットに螺合する調整ボルトと、
を備え、
前記調整ボルトは、
前記膜材保持部の移動方向に延在するネジ部と、
前記ネジ部において、前記膜材保持部が前記躯体に対して離間する側に設けられる頭部と、
を有し、
前記調整ボルトの前記頭部を回動させることにより前記膜材保持部を移動させること
を特徴とする請求項１に記載の膜材の取付構造。
【発明の詳細な説明】
【技術分野】
【０００１】
本発明は躯体及び支柱、梁材等の部材に両側縁部を定着させて張設される膜材の取付構造に関するものである。
【背景技術】
【０００２】
従来、躯体及び支柱、梁材等の部材に両側縁部を定着させて張設される膜材の取付構造としては、特許文献１に示すように、骨組に対向配置される一対の支持プレートと、各支持プレートに一端部が回転自在に支持され且つ前記取付部材がそれぞれ螺合される一対のネジ杆と、各ネジ杆の他端部が回転自在に挿入される筒状体と、該筒状体と前記ネジ杆との回転を選択的に阻止し得る回り止め手段とからなるものがある。
【０００３】
特許文献１に示す膜材の取付構造では、膜材の縁部を水平方向に移動させることにより膜材の張設時の張力を調整することから、水平方向、すなわち、膜材が張設される方向に、当該張力調整機構が膜材の張力を調整するための充分な調整代を設ける必要がある。
【先行技術文献】
【特許文献】
【０００４】
【特許文献１】特開平９−４１７３７号
【発明の概要】
【発明が解決しようとする課題】
【０００５】
しかしながら、支柱或いは壁近傍では、張設される膜材と、支柱或いは壁との間隔を狭くする必要があるため、水平方向（膜材が張設される方向）に空間を確保することが難しい。このため、特許文献１に示す従来の膜材の取付構造のように、水平方向（膜材が張設される方向）に膜材の縁部を移動させることにより膜材の張設時の張力を調整する張力調整機構では、膜材の張力を調整するための充分な調整代を設けることができないという問題があった。
【０００６】
そこで、本発明は、膜材が張設される方向に空間を確保することが難しい場所であっても、張力調整機構により膜材の張力を調整するための充分な調整代を設けることが可能な膜材の取付構造を提供することを目的とする。
【課題を解決するための手段】
【０００７】
本発明の解決しようとする課題は以上であり、次にこの課題を解決するための手段を説明する。
【０００８】
即ち、本発明に係る膜材の取付構造は、躯体及び支柱、梁材等の部材に両側縁部を定着させて張設される膜材の取付構造であって、前記膜材の少なくとも一方側の縁部に設けられ、前記膜材の張設時の張力を調整する張力調整機構を備え、前記張力調整機構は、前記膜材の端部を保持する膜材保持部と、前記膜材の端部を保持した状態の膜材保持部を前記躯体に対して接近又は離間する方向に移動させる駆動部と、前記膜材保持部を前記躯体に対して離間する側に設けられ、前記膜材保持部の移動量を調整する調整部と、を備え、前記駆動部が前記膜材保持部を移動させることにより前記膜材の張設時の張力を調整するものである。
【０００９】
本発明は、上記膜材の取付構造において、前記駆動部は、前記躯体に固定されるナットと、前記膜材保持部を支持するとともに、前記ナットに螺合する調整ボルトと、を備え、前記調整ボルトは、前記膜材保持部の移動方向に延在するネジ部と、前記ネジ部において、前記膜材保持部が前記躯体に対して離間する側に設けられる頭部と、を有し、前記調整ボルトの前記頭部を回動させることにより前記膜材保持部を移動させるものである。
【発明の効果】
【００１０】
本発明によれば、躯体に対して接近又は離間する方向、すなわち、膜材が張設される方向と交差する方向に、膜材の縁部を移動させることにより膜材の張設時の張力を調整することから、張力調整機構により膜材の張力を調整するための調整代を、膜材が張設される方向と交差する方向に設けることができる。そのため、膜材が張設される方向に空間を確保することが難しい場所であっても、当該調整代を充分に設けることができる。また、ドライバー等の工具が入る隙間を確保さえすれば、膜材の張設時の張力が調整可能となるため、膜材間の継ぎ目（目地間）を小さくすることができる。
【図面の簡単な説明】
【００１１】
【図１】本発明に係る複数のシートを基礎天井に張設する場合のシートの取付構造を示す正面図である。
【図２】（ａ）は、本発明に係るベース部架台、梁部架台、及び支柱部架台の平面図、（ｂ）は、本発明に係るベース部架台、梁部架台、及び支柱部架台の側面図、（ｃ）は、本発明に係るベース部架台、梁部架台、及び支柱部架台の正面図である。
【図３】（ａ）は、本発明に係るシート張り枠材にシートを固定する場合を示す正面図、（ｂ）は、本発明に係るシート張り枠材を支柱部架台に固定する場合を示す正面図、（ｃ）は、本発明に係るシート張り枠材を支柱部架台に固定した場合を示す正面図である。
【図４】（ａ）は、本発明に係るシート張り枠材及びシート保持部材を支柱部架台及び梁部架台に固定する場合を示す正面図、（ｂ）は、本発明に係る梁部架台に取り付けたシート保持部材にシートを固定する場合を示す正面図、（ｃ）は、本発明に係るシートを梁部架台に取り付けたシート保持部材に固定した場合を示す正面図である。
【図５】（ａ）は、本発明に係るシートを梁部架台に取り付けたシート保持部材に固定した場合を示す正面図、（ｂ）は、本発明に係るシートの張設時の張力を調整する場合を示す正面図である。
【図６】（ａ）は、本発明に係る単一のシートを基礎天井に張設する場合のシートの取付構造（シートは記載せず）を示す左側面図、（ｂ）は、本発明に係る単一のシートを基礎天井に張設する場合のシートの取付構造を示す正面図、（ｃ）は、本発明に係る単一のシートを基礎天井に張設する場合のシートの取付構造（シートは記載せず）を示す右側面図である。
【図７】本発明に係る複数のシートを壁に沿って張設する場合のシートの取付構造を示す正面図である。
【発明を実施するための形態】
【００１２】
まず、本発明に係るシート９０（「膜材」の一例）の取付構造について説明する。なお、本発明は、以下に示すシート９０の取付構造に限定されるものではない。
【００１３】
図１に示すように、本発明に係る膜材であるシート９０は、構造物の基礎天井８０の下方において、基礎天井８０の全面を覆うように膜天井を構成するものである。シート９０の縁部には、シート９０自体を基礎天井８０の躯体８１に部材を介して取り付けるための孔部９１（図３参照）が設けられている。孔部９１は、シート９０の縁部に所定の間隔を有して形成される孔部分であり、シート９０を取り付けるための固定部材が挿入可能に構成されている。なお、孔部９１は、ハトメのみで構成しても構わない。
【００１４】
シート９０は、基礎天井８０に張設される際には、その一方側の縁部（固定側縁部９０Ａ）が部材を介して躯体８１に固定されるとともに、その他方側の縁部（調整側縁部９０Ｂ）が基礎天井８０側（上下方向）に引っ張られることによりシート９０の張設時の張力が調整される。すなわち、シート９０の一方側の縁部を固定した上で、シート９０の他方側の縁部をシート９０が基礎天井８０に張設される方向と交差する方向に引っ張ることでシート９０の張設時の張力が調整される。そのため、シート９０の他方側の縁部（調整側縁部９０Ｂ）には、シート９０の張設時の張力を調整するための後述する張力調整機構１０が設けられている。
【００１５】
図１及び図２に示すように、シート９０を基礎天井８０に張設する際には、シート９０を躯体８１に部材を介して固定して張力調整機構１０を設けるために、基礎天井８０の躯体８１に、ベース部架台７０、梁部架台７１、及び支柱部架台７２が取り付けられる。
【００１６】
ベース部架台７０は、躯体８１に支柱部架台７２及び梁部架台７１を取り付けるためのベース部材である。ベース部架台７０は、側面断面視略Ｕ字状の長尺状の部材であり、クランプ７３を介して躯体８１に固定される。
【００１７】
梁部架台７１は、隣接するベース部架台７０間に固定される部材であり、ベース部架台７０の下部にベース部架台７０と直交するように固定される。図２（ｃ）に示すように、梁部架台７１は、正面断面視略Ｕ字状の長尺状の部材であり、底板７１Ａと、底板７１Ａの両端部に立設される側板７１Ｂ、７１Ｂと、から構成される。梁部架台７１は、底板７１Ａに、後述する駆動部材１５の調整ボルト１７が挿通される挿通孔７１Ｃが設けられる。梁部架台７１は、底板７１Ａの内側に、挿通孔７１Ｃを覆うように駆動部材１５のナット１６が固定されている。
【００１８】
支柱部架台７２は、ベース部架台７０の下部から突出して設けられる部材である。支柱部架台７２は、正面断面視略Ｌ字状の部材であり、梁部架台７１を挟むようにベース部架台７０の下部に固定される。なお、支柱部架台７２は、正面断面視略Ｌ字状の部材に限定されるものではなく、後述するシート張り枠材２０を取り付け可能な部材であれば、正面断面視略Ｌ字状以外の部材であっても構わない。
【００１９】
図１、図３及び図４に示すように、シート９０を躯体８１に部材を介して固定する際には、シート９０の両端縁（固定側縁部９０Ａ及び調整側縁部９０Ｂ）にシート張り枠材２０が取り付けられる。シート張り枠材２０は、シート９０を躯体８１に部材を介して固定する際に支柱部架台７２に取り付けられる長尺状の部材である。シート張り枠材２０は、その一端部（基端部２１）側が支柱部架台７２に取り付けられ、その他端部（先端部２２）側においてシート９０が当接する。シート張り枠材２０は、基端部２１から先端部２２に向けてその径が徐々に細くなるように形成される。シート張り枠材２０は、支柱部架台７２に取り付けた際に、隣接するシート張り枠材２０の先端部２２同士の間隔が狭くなるように（先端部２２がシート９０の張設方向と反対方向に向くように）、基端部２１と先端部２２との間で屈曲した形状になっている。このように、シート張り枠材２０を形成することで、シート９０の引き込みを容易に行うことができるとともに、隣接するシート９０間の隙間を小さくすることができる。
【００２０】
シート張り枠材２０は、その基端部２１側に、支柱部架台７２に固定するための架台固定溝２３が形成されている。架台固定溝２３は、ボルト９５の頭部９５Ａを支持可能な溝状の部分である。架台固定溝２３は、開口部分の溝幅が底部分の溝幅より狭く構成され、ボルト９５の頭部９５Ａが嵌め合わされた際に頭部９５Ａを開口部分で係止可能に構成されている。シート張り枠材２０を支柱部架台７２に固定する際には、架台固定溝２３にボルト９５の頭部９５Ａを嵌め合わせてボルト９５のネジ部９５Ｂを架台固定溝２３から突出させ、突出させたボルト９５のネジ部９５Ｂを支柱部架台７２の孔部７２Ａに挿入し、ナット９６により固定する。シート張り枠材２０は、その基端部２１側に、シート９０を取り付けるためのシート取付溝２４が形成されている。シート取付溝２４は、ボルト９５の頭部９５Ａを支持可能な溝状の部分である。シート取付溝２４は、開口部分の溝幅が底部分の溝幅より狭く構成され、ボルト９５の頭部９５Ａが嵌め合わされた際に頭部９５Ａを開口部分で係止可能に構成されている。シート張り枠材２０にシート９０を取り付ける際には、シート取付溝２４にボルト９５の頭部９５Ａを嵌め合わせてボルト９５のネジ部９５Ｂをシート取付溝２４から突出させ、突出させたボルト９５のネジ部９５Ｂをシート９０の孔部９１に挿入し、ナット９６により固定する。
【００２１】
シート張り枠材２０は、その先端部２２が円弧状に形成され、シート９０を引き込む際にシート９０に圧が掛からず、滑り易い形状に形成されている。シート張り枠材２０は、シート９０を躯体８１に部材を介して固定する際には、シート９０が先端部２２に沿って当接し、シート９０の引っ張り方向を上下方向（鉛直方向）から水平方向に変更する。
【００２２】
図１及び図４に示すように、シート９０を躯体８１に部材を介して固定する際には、シート９０の少なくとも一方側の縁部（調整側縁部９０Ｂ）に、シート９０の張設時の張力を調整するための張力調整機構１０が設けられる。張力調整機構１０は、シート９０の調整側縁部９０Ｂを保持するためのシート保持部材１１（「膜材保持部」の一例）と、シート保持部材１１を昇降させるための駆動部材１５（「駆動部」の一例）と、を備える。張力調整機構１０は、シート保持部材１１によりシート９０の調整側縁部９０Ｂを保持し、シート９０を保持したシート保持部材１１を駆動部材１５により昇降させることで、シート９０の張設時の張力を調整する。すなわち、張力調整機構１０は、シート９０を保持した状態のシート保持部材１１を躯体８１に対して接近又は離間する方向に移動させることで、シート９０の張設時の張力を調整する。
【００２３】
シート保持部材１１は、シート９０を躯体８１に部材を介して固定する際にシート９０の調整側縁部９０Ｂを保持するとともに、シート９０を保持した状態で梁部架台７１に沿って昇降可能に構成される。シート保持部材１１は、梁部架台７１の長手方向に沿って構成される長尺状の部材であり、梁部架台７１に沿って昇降する昇降部分１２と、シート９０の調整側縁部９０Ｂを保持する保持部分１３と、から構成される。
【００２４】
昇降部分１２は、側面断面視略Ｕ字形状に形成される凹状の部分であり、底面板１２Ａと、底面板１２Ａの両端部に立設される側面板１２Ｂ、１２Ｂから形成される。昇降部分１２は、底面板１２Ａ及び側面板１２Ｂ、１２Ｂと、梁部架台７１の底板７１Ａ及び側板７１Ｂ、７１Ｂと、が重なるように、梁部架台７１の外側から嵌め合わせ可能に形成される。昇降部分１２は、底面板１２Ａに後述する駆動部材１５の調整ボルト１７を挿入するための孔部１２Ｃが形成されている。孔部１２Ｃは、調整ボルト１７の頭部１７Ａより小さい径で形成されている。すなわち、調整ボルト１７を孔部１２Ｃに挿入することで、頭部１７Ａが孔部１２Ｃにより係止される。
【００２５】
保持部分１３は、昇降部分１２の底面板１２Ａから突出して形成される部分である。保持部分１３は、昇降部分１２から突出してなる先端部にシート９０の調整側縁部９０Ｂを固定するためのシート固定溝１３Ａが形成されている。シート固定溝１３Ａは、ボルト９５の頭部９５Ａを支持可能な溝状の部分である。シート保持部材１１にシート９０を取り付ける際には、シート固定溝１３Ａにボルト９５の頭部９５Ａを嵌め合わせてボルト９５のネジ部９５Ｂをシート固定溝１３Ａから突出させ、突出させたボルト９５のネジ部９５Ｂをシート９０の孔部９１に挿入し、ナット９６により固定する。
【００２６】
図４に示すように、駆動部材１５は、シート保持部材１１を梁部架台７１に沿って昇降させる部材である。駆動部材１５は、シート保持部材１１を梁部架台７１に沿って上昇させることで、シート９０の調整側縁部９０Ｂを引っ張り、シート９０に対して張力を付与する。すなわち、駆動部材１５により、シート保持部材１１を梁部架台７１（躯体８１）に対して接近する方向に移動させることで、シート９０に張力が付与される。また反対に、駆動部材１５は、シート保持部材１１を梁部架台７１に沿って下降させることで、シート９０の調整側縁部９０Ｂに対する引っ張りを解除する。すなわち、駆動部材１５により、シート保持部材１１を梁部架台７１（躯体８１）に対して離間する方向に移動させることで、シート９０への張力の付与が解除される。
【００２７】
駆動部材１５は、梁部架台７１に固定されるナット１６と、シート保持部材１１の孔部１２Ｃに挿通されてナット１６に螺合する調整ボルト１７と、から構成される。
【００２８】
ナット１６は、梁部架台７１の底板７１Ａの内面に固定されている。調整ボルト１７は、シート保持部材１１を梁部架台７１に取り付ける際に、頭部１７Ａによりシート保持部材１１を係止するとともに、ネジ部１７Ｂをナット１６に螺合させる。図５に示すように、調整ボルト１７は、頭部１７Ａをドライバー等の工具９９で回動させることで、頭部１７Ａにシート保持部材１１を係止させた状態でナット１６に対して昇降する。すなわち、調整ボルト１７の頭部１７Ａがシート保持部材１１の昇降量（移動量）を調整するための調整部である。調整ボルト１７は、頭部１７Ａが下向きとなるようにナット１６に螺合される。すなわち、シート保持部材１１の昇降量（移動量）を調整するための調整部が、シート保持部材１１が下降する側（梁部架台７１に対して離間する側）に設けられる。
【００２９】
次に、基礎天井８０（躯体８１）へのシート９０の組み付け方法について説明する。まず、シート９０の固定側縁部９０Ａの組み付け方法について説明する。
【００３０】
図３（ａ）に示すように、シート張り枠材２０のシート取付溝２４にボルト９５の頭部９５Ａを嵌め合わせ、ボルト９５のネジ部９５Ｂをシート取付溝２４から突出させる。そして、突出させたボルト９５のネジ部９５Ｂをシート９０の固定側縁部９０Ａ側の孔部９１に挿入し、ナット９６を螺合させる。これにより、シート９０の固定側縁部９０Ａがシート張り枠材２０に固定される。シート張り枠材２０に固定されたシート９０は、シート張り枠材２０の先端部２２に当接するように配置される。
【００３１】
図３（ｂ）に示すように、シート９０を固定したシート張り枠材２０の架台固定溝２３にボルト９５の頭部９５Ａを嵌め合わせ、ボルト９５のネジ部９５Ｂを架台固定溝２３から突出させる。そして、突出させたボルト９５のネジ部９５Ｂを支柱部架台７２の孔部７２Ａに挿入し、ナット９６を螺合させる。これにより、図３（ｃ）に示すように、シート９０の固定側縁部９０Ａが保持されたシート張り枠材２０が支柱部架台７２に固定される。すなわち、シート９０の固定側縁部９０Ａが躯体８１に部材を介して取り付けられる。
【００３２】
次に、シート９０の調整側縁部９０Ｂの組み付け方法について説明する。図４（ａ）に示すように、シート張り枠材２０の架台固定溝２３にボルト９５の頭部９５Ａを嵌め合わせ、ボルト９５のネジ部９５Ｂを架台固定溝２３から突出させる。そして、突出させたボルト９５のネジ部９５Ｂを支柱部架台７２の孔部７２Ａに挿入し、ナット９６を螺合させる。これにより、図４（ｂ）に示すように、シート張り枠材２０が支柱部架台７２に固定される。なお、シート張り枠材２０には、シート９０を固定させない。
【００３３】
続いて、図４（ａ）及び図４（ｂ）に示すように、調整ボルト１７をシート保持部材１１の孔部１２Ｃに挿通するとともに、梁部架台７１に固定されているナット１６に仮止めすることで、シート保持部材１１を梁部架台７１に仮固定する。さらに、図４（ｂ）に示すように、シート保持部材１１のシート固定溝１３Ａにボルト９５の頭部９５Ａを嵌め合わせ、ボルト９５のネジ部９５Ｂをシート固定溝１３Ａから突出させる。そして、シート９０の調整側縁部９０Ｂを上方に引き上げながら、突出させたボルト９５のネジ部９５Ｂにシート９０の調整側縁部９０Ｂ側の孔部９１を引っ掛け、ナット９６を螺合させる。これにより、図４（ｃ）に示すように、シート９０の調整側縁部９０Ｂがシート保持部材１１に固定されるとともに、シート９０の調整側縁部９０Ｂが梁部架台７１に仮組みされる。シート保持部材１１に固定されたシート９０は、シート張り枠材２０の先端部２２に当接するように配置される。
【００３４】
続いて、図５に示すように、調整ボルト１７の頭部１７Ａをドライバー等の工具９９により回動して調整ボルト１７を締め込むことによりシート保持部材１１を上昇させる。すなわち、シート９０の調整側縁部９０Ｂを躯体８１（梁部架台７１）に接近する方向に移動させる。これにより、シート９０に対して張力が付与される。さらに、調整ボルト１７の頭部１７Ａを回動してシート保持部材１１の昇降量（移動量）を調整することで、シート９０の張力を調整する。これにより、シート９０が所定の張力で基礎天井８０（躯体８１）に張設される。
【００３５】
以上のように、本実施の形態に係るシート９０の取付構造においては、躯体８１に対して接近又は離間する方向、すなわち、シート９０が張設される方向と交差する方向に、シート９０の調整側縁部９０Ｂを移動させることによりシート９０の張設時の張力を調整することから、張力調整機構１０によりシート９０の張力を調整するための調整代を、シート９０が張設される方向と交差する方向に設けることができる。つまり、シート９０の張力調整方向を、シート９０が張設される方向と交差する方向とすることができる。そのため、シート９０が張設される方向に空間を確保することが難しい場所であっても、当該調整代を充分に設けることができる。また、ドライバー等の工具９９が入る隙間を確保さえすれば、シート９０の張設時の張力が調整可能となるため、シート９０間の継ぎ目（目地間）を小さくすることができる。
【００３６】
本実施の形態に係るシート９０の取付構造においては、シート９０を躯体８１に支柱部架台７２、梁部架台７１等の部材を介して仮組みした状態でシート９０の張設時の張力を調整できることから、当該張力の調整を容易に行うことができ、シート９０の張設する作業を効率良く行うことができる。
【００３７】
本実施の形態に係るシート９０の取付構造においては、シート保持部材１１の昇降量（移動量）を調整するための調整部（調整ボルト１７の頭部１７Ａ）、すなわち、シート９０の張設時の張力を調整するための調整部が、シート保持部材１１が下降する側（梁部架台７１に対して離間する側）に設けられていることから、張設されるシート９０の下側、すなわち、シート９０が張設される方向と交差する方向からシート９０の張力を調整することができる。そのため、シート９０が張設される方向に空間を確保することが難しい場所であっても、当該張力の調整を容易に行うことができる。
【００３８】
なお、本実施の形態においては、基礎天井８０に複数のシート９０を連続して張設しているが、これに限定されるものではなく、図６に示すように、単一のシート９０を張設しても構わない。この場合には、シート９０の固定側縁部９０Ａを固定する側のベース部架台７０に、シート張り枠材２０を取り付けるため支柱部架台７２のみを設ける。また、シート９０の調整側縁部９０Ｂを固定する側のベース部架台７０に、シート張り枠材２０を取り付けるための支柱部架台７２と、シート保持部材１１及び駆動部材１５を取り付けるための梁部架台７１と、を設ける。
【００３９】
本実施の形態においては、基礎天井８０に沿って水平方向にシート９０を張設しているが、これに限定されるものではなく、図７に示すように、壁８５の開口部８５Ａを塞ぐように壁８５に沿って鉛直方向にシート９０を張設しても構わない。この場合には、壁８５の上部（基礎天井８０側）又は壁８５の下部（床８６側）の少なくとの一方側に張力調整機構１０を設ける。また、駆動部材１５によりシート保持部材１１を壁８５に対して接近する方向に移動させることで、シート９０に張力が付与され、シート保持部材１１を壁８５に対して離間する方向に移動させることで、シート９０への張力の付与が解除される。また、シート９０は水平方向及び鉛直方向に張設される場合に限定されるものではなく、斜め方向に傾斜させて張設しても構わない。
【００４０】
本実施の形態においては、張力調整機構１０をシート９０の一方側の縁部（調整側縁部９０Ｂ）に設けているが、これに限定されるものではなく、シート９０の両方側の縁部（固定側縁部９０Ａ及び調整側縁部９０Ｂ）に設けても構わない。
【００４１】
本実施の形態においては、ナット１６を梁部架台７１の底板７１Ａの内側に固定しているが、これに限定されるものではなく、駆動部材１５の調整ボルト１７が挿通可能であれば、ナット１６を底板７１Ａの外側に固定しても構わない。また、ナット１６を梁部架台７１の底板７１Ａに固定する構成に限定されるものではなく、ナット１６を梁部架台７１に固定せずに、梁部架台７１の挿通孔７１Ｃにネジを切り、調整ボルト１７が挿通孔７１Ｃに螺合可能な構成としても構わない。
【００４２】
本実施の形態においては、シート張り枠材２０にシート９０を固定してから、支柱部架台７２に固定しているが、これに限定されるものではなく、シート張り枠材２０を支柱部架台７２に固定してから、シート９０をシート張り枠材２０に固定しても構わない。
【００４３】
本実施の形態においては、シート保持部材１１を梁部架台７１の長手方向に沿って構成される長尺状の部材により構成しているが、これに限定されるものではなく、ピース状の部材により構成しても構わない。
【符号の説明】
【００４４】
１０              張力調整機構
１１              シート保持部材（膜材保持部）
１５              駆動部材（駆動部）
１６              ナット
１７              調整ボルト
１７Ａ            頭部（調整部）
１７Ｂ            ネジ部
８１              躯体
９０              シート
【図１】
2019044504.tif 000003
【図２】
2019044504.tif 000004
【図３】
2019044504.tif 000005
【図４】
2019044504.tif 000006
【図５】
2019044504.tif 000007
【図６】
2019044504.tif 000008
【図７】
2019044504.tif 000009